【事件の表示】
　特願２００１−３１６０７４「陸生植物の水生植物化を可能にする、ベランダ有機栽培用具。」拒絶査定不服審判事件〔平成１５年　３月１１日出願公開、特開２００３−　７０３６７〕について、次のとおり審決する。
【結　論】
　本件審判の請求は、成り立たない。
【理　由】
１．手続の経緯・本願発明
　本願は、平成１３年９月５日の出願であって、平成１６年４月１６日付で拒絶査定がなされ、これに対し平成１６年５月２５日に審判請求がなされたものであり、その請求項１に係る発明は、平成１５年１２月２４日付手続補正書によって補正された明細書および図面の記載からみて、請求項１に記載された事項により特定される次のとおりのものである。
「乳酸菌、酵母菌、葉緑素を持って居るイオウ細菌の糖類培養液の希釈液で処理した油かすが、入っており、給水して満杯にすることを特徴とする陸生植物の栽培用具。」（以下、「本願発明」という。）
　
２．植物（陸生植物）栽培における周知の事項
　ベランダなどで植物（陸生植物）を栽培する際に、植木鉢やプランタ等の栽培用具に土、堆肥、腐葉土を入れて、苗を植付けて、給水や追肥を行いながら栽培することは、本願明細書の段落【０００１】に「朝日新聞の記事によると、ベランダ農業を行なうならば、植木鉢、プランターに土、堆肥、腐植土を入れて、苗を植付ける。植付けた後はかん水して、乾燥と過湿に注意する。それから、化学肥料を追肥する。・・・」と記載されているように、植物（陸生植物）栽培における周知の事項として、請求人も熟知しているところである。 
　そして、植物（陸生植物）を栽培する際に、栽培用具に肥料として油かすを入れることも、従来より慣用的に行われている周知の事項である。
　したがって、植物（陸生植物）栽培において、以下のような発明は、広く知られているものと認められる。
「油かすが入っており、給水する陸生植物の栽培用具。」（以下、「周知発明」という。）
　
　また、原査定の拒絶の理由で引用された特開平８−１８１号公報（以下、「引用例１」という。）には、「キノコ廃培地等を利用した飼・肥料等の製造方法」に関して次の記載がある。
（イ）「【特許請求の範囲】
【請求項１】  キノコ栽培後のキノコ廃培地に、好気性微生物、嫌気性微生物を組合せて成る有用性微生物群を攪拌混合し、発酵処理することを特徴とするキノコ廃培地等を利用した飼・肥料等の製造方法。
【請求項２】  有用性微生物群は、光合成細菌、酵母菌、乳酸菌、放線菌、麹菌等から選択されたものを組合せたものである請求項１記載のキノコ廃培地等を利用した飼・肥料等の製造方法。
【請求項３】  発酵処理は、ほぼ密閉状態で、嫌気性の下で行なう請求項１または２記載のキノコ廃培地等を利用した飼・肥料等の製造方法。」
（ロ）「【０００１】
【産業上の利用分野】本発明は、各種キノコの栽培後のキノコ廃培地及びその関連残滓物を、好気性微生物、嫌気性微生物の組合せによるいわゆる有用性微生物（Ｅｆｆｅｃｔｉｖｅ  Ｍｉｃｒｏ−ｏｒｇａｎｉｓｍｓ…ＥＭ菌）によって発酵させることにより、畜産用の肥料、農芸用の肥料等として活用できるようにしたキノコ廃培地等を利用した飼・肥料等の製造方法に関する。」
（ハ）「【００１０】・・・本発明者は、好気性微生物と嫌気性微生物とを特殊な方法で共存させた、いわゆるＥＭ菌を使用することで、蘇生の方向性を発揮させて、キノコ廃培地を飼料、肥料に変質させることの処理方法であるキノコ廃培地等を利用した飼・肥料等の製造方法とすることに成功したものである。すなわち、好気性微生物と嫌気性微生物とは全く正反対の生育条件のために共存することは不可能と考えられていたが、抗酸化物質の存在下で共存することが判明し、自然の生態系の原則に従えば有害な嫌気性菌の抑制には有用な嫌気性菌を、同様に有害な好気性菌の抑制には有用な好気性菌を夫々作用させることで、あるいは有害な嫌気性菌の抑制には有用な好気性菌を、同様に有害な好気性菌の抑制には有用な嫌気性菌を夫々作用させることで、その弊害を除去できるものである。本発明は、かかるＥＭ菌の特性を利用してキノコ栽培後のキノコ廃培地を処理するもので、・・・ＥＭ菌に含まれている各種微生物の相乗効果によって有効成分が発生し、飼料、肥料、土壌改良剤等とするのに好適である良質な生成物が得られるものである。」
（ニ）「【００１４】すなわち、合成系の微生物、これに連動する発酵系微生物、浄菌系の微生物による浄菌、発酵、合成の３つのグループのコンビネーションによって蘇生の方向になるように、嫌気性菌や好気性菌、低温菌や高温菌、好酸性菌や好アルカリ菌等のような性質が異なる各種の微生物を、酸化した状態を停止させる抗酸化物質を生成し、また、波動を発生する状態の下で組合せるものである。例えば、光合成細菌とアゾトバクター（窒素固定菌）とを組合せるのであり、・・・光合成細菌は、それを基質に太陽エネルギーを摂って糖類を生合成し、無酸素呼吸により酸素を発生して、アゾトバクターの基質と生活環境とをつくり、共存関係になるのである。更に、酵母菌は、グルコース（ぶどう糖）を基質に解糖系の一次代謝でピルビン酸に代える働きをし、ピルビン酸は好気性の酢酸菌、微好気性（条件的嫌気性）の乳酸菌、嫌気性の酪酸菌（腐敗菌の一種）の基質となり、二次代謝ではホルモン、ビタミン、核酸等を生理活性物質をつくり、作物の生育を促進することで、これらの酵母菌、乳酸菌が光合成細菌を増殖させるものである。このように、性質が異なる各種の微生物を共存、共栄させることで蘇生型の発酵を行なわせるのである。
【００１５】そして、浄菌・発酵合成型に利用される主な細菌類には、例えば光合成細菌（グラム陰性）・・・等があり、光合成細菌の種類には、例えば緑色硫黄細菌、糸状性ほふく緑色細菌、紅色硫黄細菌、紅色非硫黄細菌、好気性光合成細菌、嫌気性褐緑色光合成細菌等があり、・・・独立生活型のものとして好気性菌では・・・好気性光合成細菌等があり、通気性嫌気性菌では・・・放線菌等があり、嫌気性菌では内生胞子形成桿菌、硫酸還元菌、緑色硫黄細菌、褐緑色光合成細菌等があり、光や栄養の条件によって好気、嫌気の両者の性質をもつ両性菌では紅色非硫黄細菌、紅色硫黄細菌、ラン藻等がある・・・」
（ホ）「【００１８】
 （マル２）肥料とする場合
    エノキダケ廃培地                          ４００Ｋｇ
    米ヌカ                                    ４００Ｋｇ
    魚カス                                    １００Ｋｇ
    油カス                                    １００Ｋｇ
    ＥＭ菌                                        １ｌ
    糖蜜                                          １ｌ
    水                                        １７０ｌ
上記のエノキダケ廃培地、米ヌカ、魚カス、油カスをよく攪拌混合し、攪拌混合後に上記のＥＭ菌、糖蜜、水を混合したものを少量ずつ添加し、全量を更に攪拌混合して水分含有量が３５％前後になるように調整する。その後、空気を遮断する密閉容器内に保管し、嫌気発酵状態にして約１０日間放置し、発酵させる。こうして得られた肥料は、一般の有機肥料に準じて使用するもので、例えば１ヘクタール当たり平均２ｔで散布する。」（注：（マル２）は○で囲まれた２）
（ヘ）「【００２２】更に、ＥＭの原液を直接にそのまま使用する場合に限らず、適当量の米ヌカ、油カス、魚カス、糖蜜、水等を使用して液体培養法、粉状培養法等によって拡大培養した、いわゆるＥＭボカシによって得られたものを使用することも可能である。この拡大培養による場合には、休眠状態になっているＥＭ菌を活性化してＥＭ菌の密度を高めることができ、キノコ廃培地に対する発酵処理を一層向上させることができる。また、拡大培養したＥＭ菌は、その変換目的に応じて原料に混合して使用するのであり、粉状培養した拡大培養菌は乾燥することで長期保存も可能である。」
（ト）「【００２９】一方、肥料として利用する場合には、完成品または前述の畜産業より搬出された堆肥、有機肥料を土壌に還元することにより、従来、化学肥料、農薬、連作等によって腐敗型の土壌となって崩壊の方向に進んでいる現状を蘇生の方向に転換させることができる。すなわち、蘇生方向への転換力を持つ微生物群が土壌の中で更に増殖し、相乗作用によって抗酸化物質のレベルが高くなり、エネルギーが立体的集約化された蘇生の構造となり、土中の空気、水を浄化し、農芸物の成長を大きく促進させるものである。
【００３０】また、発酵処理に使用されたＥＭ菌中の微生物の分泌物の中には、アミノ酸、有機酸、多糖類、ビタミン等の動植物の栄養素が各種含有されており、しかも、このような土壌からの生産物には抗酸化物質が多く含まれているため、酸化物質を好む害虫を忌避させ、その卵の孵化もなく、病虫害による被害を少なくする。すなわち、施肥した土壌を抗酸化状態にすることで害虫や病気をなくし、益虫を増大するものである。更には、植物の根も抗酸化力が高まり、根が腐ったり死んだりせず、吸収力が強くなり過酷な環境条件下での栽培を可能とし、異常気象下においても成長を促進させることができる。」
　
３．対比
　本願発明と周知発明とを対比すると、両者は、「油かすが入っており、給水する陸生植物の栽培用具。」の点で一致して、以下の点で相違する。
［相違点１］
　栽培用具に入っている油かすが、本願発明が乳酸菌、酵母菌、葉緑素を持って居るイオウ細菌の糖類培養液の希釈液で処理したものであるのに対して、周知発明ではそのような処理がされていない油かすである点。
［相違点２］
　陸生植物の栽培用具に給水するのに、本願発明が給水して満杯にしているのに対して、周知発明では、適量の水分量となるように給水している（即ち、陸生植物は水分が多すぎると根腐れをおこして枯死するおそれがあるため、給水して満杯となるようなことは行ってない）点。
　
４．判断
［相違点１について］
　引用例１には、乳酸菌、酵母菌、緑色硫黄細菌などの有用微生物群（ＥＭ菌）、油カス、糖蜜、水などを攪拌混合して、密閉容器内で嫌気状態で発酵処理したものを肥料や土壌改良材として用いることが記載されており、周知発明において、肥料として上記引用例１に記載されているような処理がなされた油かすを用いるようにすることは、当業者にとって想到容易な事項であるといえる。
　
［相違点２について］
　ところで、水中（養液中）に十分な酸素を供給して（陸生）植物の根が呼吸できる状態にすれば、植物の根元まで養液に浸した状態であっても、植物が根腐れを起こすことなく栽培できることはよく知られており、水中に十分な酸素を供給して植物の根が呼吸できる状態にし栽培用具を満杯に給水して栽培を行う水耕栽培は、従来より周知の技術（例えば、特開平１１−６６号公報、特開平１１−１５５３７３号公報、実願平１−１１３０４１号（実開平３−５４１４５号）のマイクロフィルム）であるといえる。
　そして、引用例１に「・・・例えば、光合成細菌とアゾトバクター（窒素固定菌）とを組合せるのであり、・・・光合成細菌は、それを基質に太陽エネルギーを摂って糖類を生合成し、無酸素呼吸により酸素を発生して、アゾトバクターの基質と生活環境とをつくり、共存関係になるのである。・・・」（上記２．（ニ）参照）、「・・・攪拌混合後に上記のＥＭ菌、糖蜜、水を混合したものを少量ずつ添加し、全量を更に攪拌混合して水分含有量が３５％前後になるように調整する。その後、空気を遮断する密閉容器内に保管し、嫌気発酵状態にして約１０日間放置し、発酵させる。・・・」（上記２．（ホ）参照）と記載されているように、空気が遮断された密閉環境下で光合成細菌が発生する酸素を性質が異なる他の微生物などに利用させることが知られていることから、周知発明において、引用例１に記載の微生物で処理した油かすを使用すれば、光合成細菌が発生する酸素を陸生植物の根の呼吸に利用させるような状況を作ることができ、栽培用具を給水して満杯の状態としても、光合成細菌が水中に酸素を供給して上記周知技術と同様に陸生植物の根が呼吸できると状態となることは容易に予測することができるから、給水の回数を減らすために、栽培用具を満杯まで給水することは、当業者にとって想到容易な事項であるといえる。
　
 　そして、本願発明の奏する作用効果も周知発明、引用例１に記載されている事項および上記周知技術から当業者が予測し得るものであって格別のものということができない。
　
５．むすび
　以上のとおり、本願発明は、周知発明、引用例１に記載されている事項および周知技術に基づいて当業者が容易に発明をすることができたものであるから、特許法２９条２項の規定により特許を受けることができない。
　よって、結論のとおり審決する。